(57)【要約】【課題】尾部を切り落とすことなく大型魚を収容することができる保冷容器を提供する。【解決手段】発泡合成樹脂よりなる大型魚を収容するための保冷容器であって、上面が開口する上面開口部２を有する矩形箱状の容器本体３と、容器本体３の上面開口部２を開閉するように容器本体３に対して着脱自在に取り付けられる上蓋４とを備え、容器本体３は、底壁３０と、底壁３０から立設され互いに対向する左右側壁と、底壁３０から立設され左右側壁と互いに連結され、かつ、収容された大型魚の頭尾方向で互いに対向する前後側壁３２０，３２０とを備え、大型魚の尾部側の後側壁３２０から外側に突出して大型魚の尾部を容器本体３の外側で収容するための尾部用収容部５を備えた。【選択図】  図１
2014055012.tif 000002
【特許請求の範囲】
【請求項１】
発泡合成樹脂よりなる大型魚を収容するための保冷容器であって、上端部に開口部を有する矩形箱状の容器本体と、この容器本体の開口部を開閉するように該容器本体に対して着脱自在に取り付けられる上蓋とを備え、
前記容器本体は、底壁と、該底壁から立設され互いに対向する左右側壁と、該底壁から立設され該左右側壁と互いに連結され、かつ、収容された大型魚の頭尾方向で互いに対向する前後側壁とを備え、大型魚の尾部側の前記後側壁から外側に突出して大型魚の尾部を該容器本体の外側で収容するための尾部用収容部を備え、該尾部用収容部は、大型魚の尾部を収容した状態で閉塞可能に構成されていることを特徴とする保冷容器。
【請求項２】
前記後側壁に、大型魚の尾部を前記容器本体の外側へ突出可能とするための切欠き部を備え、前記尾部用収容部は、該切欠き部から外側へ突出する底部と、底部の外周縁のうちの容器本体側となる前端部の外周縁を除く外周縁から立設された側部と、該側部の上端に開口される開口部を閉じる尾部用蓋体とを備え、該尾部用蓋体と前記上蓋とを装着することにより前記容器本体及び前記尾部用収容部を閉塞可能に構成したことを特徴とする請求項１に記載の保冷容器。
【発明の詳細な説明】
【技術分野】
【０００１】
本発明は、主として養殖マグロ等の大型魚を保冷輸送する際に使用する発泡合成樹脂よりなる保冷容器に関する。
【背景技術】
【０００２】
従来、大型魚を収容して目的地へ輸送するための保冷容器として、上面が開口する上面開口部を備えた矩形箱状の容器本体と、この容器本体の上面開口部を開閉するように容器本体に対して着脱自在に取り付けられる上蓋とからなる保冷容器が提案されている（例えば、特許文献１参照）。
【０００３】
上記保冷容器に収容される大型魚には、さまざまなサイズが存在する。これら全てのサイズの大型魚に対応する多種類の大きさの保冷容器を作製すると、コスト面及び在庫管理面において不利になるため、実際には特定の複数種類の大きさの保冷容器を用意している。
【先行技術文献】
【特許文献】
【０００４】
【特許文献１】特開２００６−１５１４２１号公報
【発明の概要】
【発明が解決しようとする課題】
【０００５】
ところで、大型魚の中には、最大サイズの保冷容器でも尾部が入り切らないサイズの魚が存在する。このような場合には、大型魚の尾部を切り落として、保冷容器に収容することが行われている。特に、大型魚を保冷輸送する場合において、前記のように大型魚の尾部を切り落としてしまうと、切り落とした端面が外気に触れる状態になってしまい、大型魚の鮮度低下が問題になる場合があり、改善の余地があった。
【０００６】
本発明の目的は、前述の問題に鑑みてなされたもので、尾部を切り落とすことなく大型魚を収容することができる保冷容器を提供することにある。
【課題を解決するための手段】
【０００７】
本発明に係る保冷容器は、発泡合成樹脂よりなる大型魚を収容するための保冷容器であって、上端部に開口部を有する矩形箱状の容器本体と、この容器本体の開口部を開閉するように該容器本体に対して着脱自在に取り付けられる上蓋とを備え、前記容器本体は、底壁と、該底壁から立設され互いに対向する左右側壁と、該底壁から立設され該左右側壁と互いに連結され、かつ、収容された大型魚の頭尾方向で互いに対向する前後側壁とを備え、大型魚の尾部側の前記後側壁から外側に突出して大型魚の尾部を該容器本体の外側で収容するための尾部用収容部を備え、該尾部用収容部は、大型魚の尾部を収容した状態で閉塞可能に構成されていることを特徴とする。
【０００８】
本発明の構成によれば、尾部が保冷容器から食み出るようなサイズの大型魚を保冷容器に収容する場合には、大型魚の尾部を尾部用収容部に収容することによって、大型魚を保冷容器内へ収容することができる。そして、大型魚を収容した状態において尾部用収容部が閉塞可能に構成されているため、保冷輸送することができる。
【０００９】
また、本発明に係る保冷容器は、前記後側壁に、大型魚の尾部を前記容器本体の外側へ突出可能とするための切欠き部を備え、前記尾部用収容部は、該切欠き部から外側へ突出する底部と、底部の外周縁のうちの容器本体側となる前端部の外周縁を除く外周縁から立設された側部と、該側部の上端に開口される開口部を閉じる尾部用蓋体とを備え、該尾部用蓋体と前記上蓋とを装着することにより前記容器本体及び前記尾部用収容部を閉塞可能に構成してもよい。
【００１０】
かかる構成によれば、尾部用収容部が上方に開口する構成であるため、大型魚の尾部を尾部用収容部へ上方から容易に収容することができる。収容後は、容器本体及び前記尾部用収容部を閉じて、保冷輸送することができる。
【発明の効果】
【００１１】
本発明の保冷容器によれば、大型魚の尾部を容器本体の外側で収容するための尾部用収容部を備えることによって、尾部を切り落とすことなく大型魚を収容することができる保冷容器を提供することができる。
【図面の簡単な説明】
【００１２】
【図１】本発明の実施形態の保冷容器を示した縦断側面図である。
【図２】同保冷容器において上蓋及び尾部用蓋体を取り外した尾部用収容部を示す要部の平面図である。
【図３】同尾部用収容部の縦断背面図である。
【図４】同尾部用収容部を容器本体に装着する直前の状態を示す斜視図である。
【図５】容器本体に切欠き部を形成する前の状態を示す要部の斜視図である。
【図６】容器本体に金属板材を取り付けてニクロムカッターで切欠き部を形成する直前の状態を示す要部の斜視図である。
【発明を実施するための形態】
【００１３】
以下、本発明の保冷容器を図面に基づいて説明する。
【００１４】
図１に、発泡合成樹脂よりなる大型魚を収容するための保冷容器１が示されている。この保冷容器１は、上端部に開口部２を有する箱状の容器本体３と、この容器本体３の開口部２を開閉するように容器本体３に対して着脱可能に取付けられる上蓋４とを備えている。尚、発泡合成樹脂としては、特に限定されないが、例えば、発泡ポリスチレン、発泡ポリエチレン、発泡ポリプロピレン等の各種発泡合成樹脂が利用できる。また、大型魚としては、主として養殖マグロが挙げられ、その重量としては、３０ｋｇから１５０ｋｇまでの重量を対象としているが、その中でも５０ｋｇから１００ｋｇまでの重量のものを主としている。また、保冷容器１に収容する対象魚としては、養殖マグロだけでなく、天然マグロであってもよいし、養殖ハマチや養殖ブリ等の大型魚であってもよい。尚、以下の説明において、保冷容器１の短辺方向を左右方向とし、保冷容器１の長辺方向を前後方向とする。
【００１５】
保冷容器１は、大型魚の尾部の一部を容器本体３の外側で収容するための発泡合成樹脂よりなる尾部用収容部５を更に備えている。従って、保冷容器１の寸法よりも大きな寸法の大型魚、つまり尾部が保冷容器１から食み出るような大型魚を尾部を切り落とすことなく収容することができる。
【００１６】
容器本体３は、図１〜図３に示すように、底壁３０と本体側壁３１とを備えている。底壁３０は、平面視略長方形に形成された平板状に形成されている。底壁３０の表面（上面）３０Ａは、容器本体３の底面に相当し、収容物である大型魚を支持する面である。底壁３０の表面３０Ａは平坦面である。また、底壁３０の裏面（下面）３０Ｂは、外周部に位置する外側部分３０ａと、外側部分３０ａで囲まれるとともに外側部分３０ａよりも下方に突出した内側部分３０ｂとを備えている。これら外側部分３０ａと内側部分３０ｂは共に底壁３０の表面３０Ａと平行な平坦面である。
【００１７】
本体側壁３１は、底壁３０の表面３０Ａの外周縁部から上方に立ち上げられていることで、矩形枠状に形成されている。本体側壁３１は、左右側壁３１０，３１０及び前後側壁３２０，３２０から構成されている。左右側壁３１０，３１０は、底壁３０の一対の長辺である左右の縁部から上方に立ち上げられ、左右方向で互いに対向している。前後側壁３２０，３２０は、底壁３０の一対の短辺である前後の縁部から上方に立ち上げられ、前後方向で互いに対向している。
【００１８】
上蓋４は、天壁４０と上蓋側壁４１とを備えている。天壁４０は平面視略長方形に形成され、その上面には、底壁３０の内側部分３０ｂが内嵌する凹部４０Ａが形成されており、保冷容器１を上下方向に積み重ねたときに、下側の保冷容器１の上蓋４の凹部４０Ａに、上側の保冷容器１の底壁３０の内側部分３０ｂが内嵌することによって、上側の保冷容器１が下側の保冷容器１に対して前後方向及び左右方向のいずれの方向にも位置ずれすることがないようにしている。
【００１９】
上蓋側壁４１は、上蓋４の天壁４０の裏面（下面）４０Ｂの外周縁部から下方に延びるよう、天壁４０の裏面４０Ｂに一体形成されている。上蓋側壁４１の外周縁全周に亘って下向きに嵌合用凸条６を設け、この嵌合用凸条６を容器本体３の嵌合用凸条７に嵌合することによって、上蓋４が容器本体３に着脱可能に取付けられている。
【００２０】
尾部用収容部５は、容器本体３の外側へ突出した大型魚の尾部を収容するように構成され、容器本体３の後側壁３２０に形成された切欠き部３２０Ｋに着脱可能に設けられている。具体的には、尾部用収容部５は、切欠き部３２０Ｋから外側へ突出する底部５１及び底部５１の外周縁のうちの容器本体３側となる前端部の外周縁を除いた外周縁から立設された側部５２からなる収容部本体５３と、側部５２の上端に開口される開口部５２Ｋを閉じる尾部用蓋体５４とを備えている。従って、尾部用収容部５の前端部に側部（壁）５２が無いから、尾部用収容部５の前端部で容器本体３と尾部用収容部５とが連通している。尾部用蓋体５４を収容部本体５３に装着してから、上蓋４を容器本体３に装着することによって、図１に示すように、上蓋４の後端の上蓋側壁４１と収容部本体５３とで尾部用蓋体５４を挟み込んでいる。このように挟み込む構成にすることによって、尾部用蓋体５４が外れ難いといった効果がある。
【００２１】
底部５１は、容器本体３の後側壁３２０の切欠き部３２０Ｋから同一幅で延びる前後方向に長い長方形状の前側板部５１１と、この前側板部５１１の後端から後方へ延びるとともに左右幅が前側板部５１１よりも広い横長な後側板部５１２とを備えている。更に、後側板部５１２は、前側板部５１１よりも下方に位置しており、前側板部５１１の後側端と後側板部５１２の前側端とを上下方向で連結するための縦板部５１３を更に備えている。
【００２２】
切欠き部３２０Ｋは、後側壁３２０に上方に開口する略Ｕ字状に形成されている。
【００２３】
側部５２は、前側板部５１１の左右両端から上方に立ち上げられた第１左右側部５２１，５２１と、これら第１左右側部５２１，５２１の後端に連結され後側板部５１２の前端から上方に立ち上げられた前側部５２２，５２２と、前側部５２２，５２２の左右両端から後方側へ延びるよう後側板部５１２の左右両端から上方に立ち上げられた第２左右側部５２３，５２３と、第２左右側部５２３，５２３の後端同士を連結し後側板部５１２の後端から上方に立ち上げられた後側部５２４とを備えている。
【００２４】
第１左右側部５２１，５２１の前後端部の外面に、前後一対の係合部５２１Ｓ，５２１Ｓを設けている。これら係合部５２１Ｓ，５２１Ｓは、切欠き部３２０Ｋを形成する左右の縁部３２０Ａ，３２０Ａを前後方向から挟み込んで左右の縁部３２０Ａ，３２０Ａに前後方向で係合することによって、尾部用収容部５を容器本体３の後側壁３２０に固定することができる。
【００２５】
各第１左右側部５２１は、前側に位置しかつ尾部用収容部５の装着状態で上端面が容器本体３の嵌合用凸条６の上端面と同一高さになるように形成された前側部５２１Ａと、この前側部５２１Ａの上端面よりも下方に位置して尾部用収容部５の装着状態で上端面が容器本体３の嵌合用凸条６の外側に位置する外周縁部３Ｓの上端面と同一高さになるように形成された後側部５２１Ｂとからなっている。そして前側部５２１Ａの前端に前側の係合部５２１Ｓが左右方向外側に延びるように一体形成されている。また、後側の係合部５２１Ｓは、後側部５２１Ｂに左右方向外側に延びるように一体形成されるとともに、前側部５２２の前端面に一体形成されており、後側部５２１Ｂ及び前側部５２２の厚みが厚くなって後側部５２１Ｂ及び前側部５２２の強度を高めている。
【００２６】
側部５２を構成する第１左右側部５２１，５２１の後側部５２１Ｂ，５２１Ｂ、前側部５２２，５２２、第２左右側部５２３，５２３及び後側部５２４の上端の内周縁に、尾部用蓋体５４を係止保持するための係止溝５２ｍが形成されている。図３に示すように、係止溝５２ｍに尾部用蓋体５４を係止した状態において、尾部用蓋体５４の上面５４Ａと側部５２の上面５２Ｕとが面一になるように係止溝５２ｍの上下深さを設定している。
【００２７】
図２に示すように、側部５２の上端に開口される開口部５２Ｋは、容器本体３から外方側に形成される前後方向に縦長状の第１開口部５２ａと、第１開口部５２ａの外側端から更に外側に形成され左右方向に長い横長状の第２開口部５２ｂとからなっている。
【００２８】
尾部用蓋体５４は、図４に示すように、第１開口部５２ａの略半分の後側部分を閉じる横長状で板状の第１蓋部分５４ａと、この第１蓋部分５４ａの後側端から後方へ延びるとともに第２開口部５２ｂを閉じるとともに第１蓋部分５４ａよりも横長状で板状の第２蓋部分５４ｂとを備えている。そして、第２蓋部５４ｂの左右方向中央部の上面に上方に突出する前後方向に長い直方体形状の取手５４Ｒが一体形成されている。この取手５４Ｒは、尾部用蓋体５４の強度アップを兼ねている。また、尾部用蓋体５４は、それの第１蓋部分５４ａの前端面５４Ｆが、側部５２を構成する前側部５２１Ａ，５２１Ａの後端面５２１Ｈ，５２１Ｈに当接して位置決めされる。
【００２９】
容器本体３に形成される切欠き部３２０Ｋは、容器本体３を形成する成型時に一体形成してもよいし、また、図５及び図６に示すように、切欠き部３２０Ｋが形成されていない箱状の容器本体３の後側壁３２０に、切欠き部３２０Ｋを形成してもよい。まず、図５に示すアルミニウムからなる金属板材８を、図６に示すように容器本体３の後側壁３２０に上方から被せる。続いて、釘９により後側壁３２０に金属板材８を固定し、図６に示すニクロムカッター１０により金属板材８の外周縁部分を、図６の矢印方向に沿って溶融して取り去る。これによって、切欠き部３２０Ｋが形成される。金属板材８は、Ｕの字状の２枚の金属板８Ａ，８Ａの上端部分８ａ，８ａ同士を溶接により一体化して構成されている。各金属板８Ａには、釘９を貫通可能な孔８Ｋが所定間隔を置いて形成されている。
【００３０】
上述のように構成された保冷容器１に大型のマグロを収容する場合について説明すれば、図１〜図３に示すように、マグロ１２の尾部１２Ｂを除いた胴体（本体部）１２Ａを容器本体３内に上方から収容するとともに、マグロ１２の尾部１２Ｂを尾部用収容部５内に上方から収容する。尾部１２Ｂは、尾柄（びへい）１２ａと尾鰭（おびれ）１２ｂから構成され、尾柄１２ａが前側板部５１１上に配置され、尾鰭１２ｂが後側板部５１２上に配置される。尚、尾鰭１２ｂがマグロ１２の胴体よりも左右に大きく広がっているため、図３に示すように、尾鰭１２ｂ，１２ｂを大きく湾曲した状態にして収容することになる。このようにマグロ１２を収容した後、蓄冷材や氷を保冷容器１内に詰める。この後、収容部本体５３を尾部用蓋体５４で閉じてから容器本体３を上蓋４で閉じることによって、マグロ１２を保冷容器１内に密閉状態で収容することができる。この密閉状態の保冷容器１を消費地まで保冷輸送する。
【００３１】
尚、前記尾部用収容部５を使用しない場合には、図示していないが、例えば切欠き部３２０Ｋを閉塞する発泡合成樹脂や合成樹脂あるいは金属等でなる閉塞部材を装着して使用することも可能である。
【００３２】
以上、本発明を実施形態に基づき具体的に説明したが、本発明は前記実施形態に限定されるものではなく、その要旨を逸脱しない範囲で種々変更可能であることはいうまでもない。
【００３３】
前記実施形態では、尾部用収容部５を、収容部本体５３と、尾部用蓋体５４とから構成したが、尾部用収容部５を、収容部本体５３のみで構成し、容器本体３を閉じる上蓋４に、収容部本体５３の開口部５２Ｋを閉じる蓋部を一体形成して実施してもよい。
【００３４】
また、前記実施形態では、尾部用収容部５を、容器本体３に着脱自在に取り付ける構成のものを示したが、着脱できない固定式の構成のものであってもよい。
【００３５】
また、前記実施形態では、上蓋４の後端の上蓋側壁４１と収容部本体５３とで尾部用蓋体５４を挟み込んで固定する構成としたが、尾部用蓋体５４を挟み込まない構成であってもよい。
【符号の説明】
【００３６】
１…保冷容器、２…開口部、３…容器本体、４…上蓋、５…尾部用収容部、６…嵌合用凸条、７…嵌合用凸条、８…金属板材、８Ａ…金属板、８Ｋ…孔、８ａ…上端部分、９…釘、１０…ニクロムカッター、１２…マグロ、１２Ｂ…尾部、１２ａ…尾柄、１２ｂ…尾鰭、３０…底壁、３０Ａ…表面、３０ａ…外側部分、３０ｂ…内側部分、３１…本体側壁、４０…天壁、４０Ａ…凹部、４０Ｂ…裏面、４１…上蓋側壁、５１…底部、５２…側部、５２Ｋ…開口部、５２Ｕ…上面、５２ａ…開口部、５２ｂ…開口部、５２ｍ…係止溝、５３…収容部本体、５４…尾部用蓋体、５４Ａ…上面、５４ａ…第１蓋部分、５４ｂ…第２蓋部分、５４Ｒ…取手、３１０…左右側壁、３２０…後側壁、３２０…前後側壁、３２０Ａ…縁部、３２０Ｋ…切欠き部、５１１…前側板部、５１２…後側板部、５２１…左右側部、５２１Ａ…前側部、５２１Ｂ…後側部、５２１Ｓ…係合部、５２２…前側部、５２３…左右側部、５２４…後側部
【図１】
2014055012.tif 000003
【図２】
2014055012.tif 000004
【図３】
2014055012.tif 000005
【図４】
2014055012.tif 000006
【図５】
2014055012.tif 000007
【図６】
2014055012.tif 000008